(57)【要約】【課題】携帯電話機毎にリモコン装置を設計する必要がなく、電子錠本体からリモコン装置へは、全く情報を送信する必要がないか、ごく簡単な情報例えば応答情報を送信するだけで済み、通信料が比較的高額である携帯電話網を介してのセンタへの情報送信をすることがない、電子錠システムを提供する。【解決手段】電子錠システムは、物品保管ケース９を有する電子錠本体１ａと、リモコン装置１１と、無線アクセスポイント５と、通信ネットワーク６と、センタ７と、データベース部８ａと、を含み、電子錠本体１ａは、無線アクセスポイント５と通信する無線ＬＡＮ装置４ａを具備し、そのＣＰＵ３は、リモコン装置１１から受信する解錠要求情報を、データベース部８ａが記憶する情報と照合した結果に基づき、物品保管ケース９を解錠するか否かを判断する構成である。【選択図】　　図１
2004092352.tif 000002
【特許請求の範囲】
【請求項１】
錠機構を具備する物品保管ケースと、ドアノブなどに取り付ける係留機構と、リモコン発の情報を受信する受信部と、電源と、制御手段と、を具備する、持ち運びが可能な電子錠本体と、
自身のＩＤ情報を記憶しており、前記電子錠本体に解錠要求情報を送信するリモコン装置と、
前記電子錠本体と通信可能な位置に設ける無線アクセスポイントと、
前記無線アクセスポイントをネットワークノードとして含む通信ネットワークと、
前記通信ネットワークを介して前記電子錠本体と通信可能なセンタと、
前記ＩＤ情報及び前記解錠要求情報の正当性を解析するための情報を記憶するデータベース部と、を含み、
前記電子錠本体は、前記無線アクセスポイントと通信する無線機を具備し、
かつ、前記制御手段は、前記リモコン装置から受信する前記解錠要求情報を、前記データベース部が記憶する情報と照合した結果に基づき、前記物品保管ケースを解錠するか否かを判断する構成である、物品保管ケースを有し持ち運び可能な電子錠本体を含む電子錠システム。
【請求項２】
前記解錠要求情報は、前記ＩＤ情報を含む、請求項１記載の物品保管ケースを有し持ち運び可能な電子錠本体を含む電子錠システム。
【請求項３】
前記リモコン装置が送信し、前記電子錠本体が受信する情報は、非接触通信によるものである、請求項１記載または請求項２記載の物品保管ケースを有し持ち運び可能な電子錠本体を含む電子錠システム。
【請求項４】
前記通信ネットワークは、インターネットもしくはＩＰ網を含んでいる、請求項１記載、請求項２記載または請求項３記載の物品保管ケースを有し持ち運び可能な電子錠本体を含む電子錠システム。
【請求項５】
前記データベース部は、前記電子錠本体もしくは前記センタのいずれか一方または両方が具備する、請求項１記載、請求項２記載、請求項３記載または請求項４記載の物品保管ケースを有し持ち運び可能な電子錠本体を含む電子錠システム。
【請求項６】
前記電子錠本体は、前記物品保管ケースの錠操作に関する情報を前記センタへ送信するとともに、前記錠操作に関する情報には前記ＩＤ情報が含まれている、請求項１記載、請求項２記載、請求項３記載、請求項４記載または請求項５記載の物品保管ケースを有し持ち運び可能な電子錠本体を含む電子錠システム。
【請求項７】
前記電子錠本体は、計時手段を具備し、前記錠操作に関する情報には、前記物品保管ケースを解錠した時刻に関する情報が含まれている、請求項１記載、請求項２記載、請求項３記載、請求項４記載、請求項５記載または請求項６記載の物品保管ケースを有し持ち運び可能な電子錠本体を含む電子錠システム。
【請求項８】
前記通信ネットワークは、無線ＬＡＮを含み、前記アクセスポイント及び前記無線機は、それぞれ無線ＬＡＮ通信装置を含む、請求項１記載、請求項２記載、請求項３記載、請求項４記載、請求項５記載、請求項６記載または請求項７記載の物品保管ケースを有し持ち運び可能な電子錠本体を含む電子錠システム。
【請求項９】
前記電源は、燃料電池である、請求項１記載、請求項２記載、請求項３記載、請求項４記載、請求項５記載、請求項６記載、請求項７記載または請求項８記載の物品保管ケースを有し持ち運び可能な電子錠本体を含む電子錠システム。
【発明の詳細な説明】
【０００１】
【発明の属する技術分野】
本発明は、玄関の鍵などを保管する物品保管ケースを有し持ち運び可能な電子錠本体を含む電子錠システムに関する。
【０００２】
【従来の技術】
携帯電話機、携帯電話機の外部通信端子に接続するリモコン装置、物品保管ケース付き電子錠本体、センタ及び携帯電話網を含む通信網を含む電子錠システムが知られている。例えば、本出願人が出願した下記特願出願においては、そのような電子錠システムが開示されている。
【０００３】
特願２００２−４４０３２号。
【０００４】
このような従来の電子錠システムにおいて、電子錠本体が有する物品保管ケースの錠操作についての情報（錠操作情報）をセンタへ送信しようとする場合、電子錠本体は、錠操作情報をリモコン装置へ無線送信し、リモコン装置は、携帯電話機へ該錠操作情報を外部通信端子を介して送信し、携帯電話機は、携帯電話網を利用して、該錠操作情報をセンタへ、電話網を伝送路とする送信、もしくは電子メールにて送信していた。すなわち従来の電子錠システムは、携帯電話機及び携帯電話網が必須であり、次のような問題点があった。
第１は、携帯電話機の外部通信端子と接続するリモコン装置と、携帯電話機と、を通信可能にするには、携帯電話機毎にそれと通信可能になるようにリモコン装置を設計・製造する必要がある。携帯電話機は、頻繁に新機種が販売される。また、携帯電話機のメーカ毎に外部通信端子を利用しての通信仕様が異なっている。よって、多数ある携帯電話機の機種毎にリモコン装置を設計するのは、大変な手間であり、リモコン装置設計・製造のためのコストが非常に掛かっていた。
第２は、電子錠本体からリモコン装置へ、物品保管ケースを解錠したことを示す錠操作情報を無線送信してリモコン装置にその情報を確実に受信させなければならないことから来る、無線通信手段の設計・製造の複雑さである。この錠操作情報は、電子錠本体の識別番号情報、リモコン装置のＩＤ情報など、重要な情報を含んでいる。よって、リモコン装置は、この錠操作情報を確実に受信できる無線通信手段（無線機ないし無線ユニット）を具備していなければならない。従って、リモコン装置の無線通信手段は、高信頼性かつ高性能に設計・製造しなければならず、コスト高の要因となっていた。
第３は、携帯電話機−センタ間の通信料金が嵩むことである。携帯電話機は基本料金が高額であり、通話料も低額であるとは言い難い。従って、電子錠システムの運営コストが馬鹿にならないということである。
【０００５】
【発明が解決しようとする課題】
本発明に係る物品保管ケースを有し持ち運び可能な電子錠本体を含む電子錠システムは、上記した従来の技術が有する問題点に鑑みなされたもので、次の課題を解決することを目的とする。
携帯電話機毎に、リモコン装置を設計する必要がなく、電子錠本体からリモコン装置へは、全く情報を送信する必要がないか、ごく簡単な情報例えば応答情報を送信するだけで済み、通信料が比較的高額である携帯電話網を介してのセンタへの情報送信をすることがない、電子錠システムを提供することである。
【０００６】
【課題を解決するための手段】
上記課題を解決するための本第１発明は、請求項１に記載されたとおりの物品保管ケースを有し持ち運び可能な電子錠本体を含む電子錠システムであり、次のようなものである。
電子錠システムは、錠機構を具備する物品保管ケースと、ドアノブなどに取り付ける係留機構と、リモコン発の情報を受信する受信部と、電源と、制御手段と、を具備する、持ち運びが可能な電子錠本体と、自身のＩＤ情報を記憶しており、前記電子錠本体に解錠要求情報を送信するリモコン装置と、前記電子錠本体と通信可能な位置に設ける無線アクセスポイントと、前記無線アクセスポイントをネットワークノードとして含む通信ネットワークと、前記通信ネットワークを介して前記電子錠本体と通信可能なセンタと、前記ＩＤ情報及び前記解錠要求情報の正当性を解析するための情報を記憶するデータベース部と、構成要素として含む。
また、前記電子錠本体は、前記無線アクセスポイントと通信する無線機を具備している。そして、前記制御手段は、前記リモコン装置から受信する前記解錠要求情報を、前記データベース部が記憶する情報と照合した結果に基づき、前記物品保管ケースを解錠するか否かを判断する構成である。
【０００７】
上記課題を解決するための本第２発明は、請求項２に記載されたとおりの物品保管ケースを有し持ち運び可能な電子錠本体を含む電子錠システムであり、次のようなものである。
請求項１記載の物品保管ケースを有し持ち運び可能な電子錠本体を含む電子錠システムにおいて、前記解錠要求情報は、前記ＩＤ情報を含む構成である。
【０００８】
上記課題を解決するための本第３発明は、請求項３に記載されたとおりの物品保管ケースを有し持ち運び可能な電子錠本体を含む電子錠システムであり、次のようなものである。
請求項１記載または請求項２記載の物品保管ケースを有し持ち運び可能な電子錠本体を含む電子錠システムにおいて、前記リモコン装置が送信し、前記電子錠本体が受信する情報は、非接触通信によるものである。
【０００９】
上記課題を解決するための本第４発明は、請求項４に記載されたとおりの物品保管ケースを有し持ち運び可能な電子錠本体を含む電子錠システムであり、次のようなものである。
請求項１記載、請求項２記載または請求項３記載の物品保管ケースを有し持ち運び可能な電子錠本体を含む電子錠システムにおいて、前記通信ネットワークは、インターネットもしくはＩＰ網を含んでいる構成である。
【００１０】
上記課題を解決するための本第５発明は、請求項５に記載されたとおりの物品保管ケースを有し持ち運び可能な電子錠本体を含む電子錠システムであり、次のようなものである。
請求項１記載、請求項２記載、請求項３記載または請求項４記載の物品保管ケースを有し持ち運び可能な電子錠本体を含む電子錠システムにおいて、前記データベース部は、前記電子錠本体もしくは前記センタのいずれか一方または両方が具備する構成である。
【００１１】
上記課題を解決するための本第６発明は、請求項６に記載されたとおりの物品保管ケースを有し持ち運び可能な電子錠本体を含む電子錠システムであり、次のようなものである。
請求項１記載、請求項２記載、請求項３記載、請求項４記載または請求項５記載の物品保管ケースを有し持ち運び可能な電子錠本体を含む電子錠システムにおいて、前記電子錠本体は、前記物品保管ケースの錠操作に関する情報を前記センタへ送信するとともに、前記錠操作に関する情報には前記ＩＤ情報が含まれている構成である。
【００１２】
上記課題を解決するための本第７発明は、請求項７に記載されたとおりの物品保管ケースを有し持ち運び可能な電子錠本体を含む電子錠システムであり、次のようなものである
請求項１記載、請求項２記載、請求項３記載、請求項４記載、請求項５記載または請求項６記載の物品保管ケースを有し持ち運び可能な電子錠本体を含む電子錠システムにおいて、前記電子錠本体は、計時手段を具備し、前記錠操作に関する情報には、前記物品保管ケースを解錠した時刻に関する情報が含まれている構成である。
【００１３】
上記課題を解決するための本第８発明は、請求項８に記載されたとおりの物品保管ケースを有し持ち運び可能な電子錠本体を含む電子錠システムであり、次のようなものである。
請求項１記載、請求項２記載、請求項３記載、請求項４記載、請求項５記載、請求項６記載または請求項７記載の物品保管ケースを有し持ち運び可能な電子錠本体を含む電子錠システムにおいて、前記通信ネットワークは、無線ＬＡＮを含み、前記アクセスポイント及び前記無線機は、それぞれ無線ＬＡＮ通信装置を含むものである。
【００１４】
上記課題を解決するための本第９発明は、請求項９に記載されたとおりの物品保管ケースを有し持ち運び可能な電子錠本体を含む電子錠システムであり、次のようなものである。
請求項１記載、請求項２記載、請求項３記載、請求項４記載、請求項５記載、請求項６記載、請求項７記載または請求項８記載の物品保管ケースを有し持ち運び可能な電子錠本体を含む電子錠システムにおいて、前記電源は、燃料電池であるものである。
【００１５】
【発明の実施の形態】
図１は、本発明に係わる物品保管ケースを有し持ち運び可能な電子錠本体を含む電子錠システムのブロック図である。
電子錠システムの錠機構具備側である電子錠本体１ａは、ボックス様の形状であり、物品保管ケース９を必ず具備している。物品保管ケース９は、典型的にはソレノイド（図示せず）などの電磁錠機構を具備しており、電子錠本体１ａは、この物品保管ケース９を解錠したり、ときには施錠したりするための電子（符号）錠ないし電磁（符号）錠である。
なお、物品保管ケース９が具備する錠機構は、図示を省略する。
電子錠本体（１ａ、１ｚ）は、集合住宅（マンション、アパート）の空き部屋の玄関ドアに設置して使うような場合、その集合住宅の複数箇所に係留されることが普通である。なお、電子錠本体１ａと電子錠本体１ｚの基本構成は、全く同様であるので、ここでは電子錠本体１ａを取り上げて、その詳細を説明する。
電子錠本体１ａは、空き部屋の玄関ドアのドアノブなどに取り付ける（係留する）ための機構を有する。例えば、そのために、電子錠本体にシャックル１０などを具備させる。電子錠本体１ａは、このシャックル１０によって、シャックル１０が施錠状態でドアノブなどにぶら下げることができる。シャックル１０を解錠状態とすれば、電子錠本体１ａをそのドアノブから取り外して、余所へ持って行き、他の場所に取り付けることが可能である。
リモコン装置１１は、自身のＩＤ情報１２ａを有している。すなわちリモコン装置１１は、自分の固有の識別情報を記憶している。また、リモコン装置１１は、解錠要求情報を送信する。解錠要求情報というのは、当業者が定める所定のコードを含む情報である。リモコン装置１１から電子錠本体１ａへの解錠要求情報の送信は、有線（接触通信）によるものでも無線（非接触通信）によるものでもよい。無線送信の例としては、音波、超音波、光、赤外線、電波（ＡＭ、ＦＭなど）等を媒体として使うことが可能である。
電子錠本体１ａは、解錠要求情報を受信するための受信部２を具備する。また、電子錠本体は、電源（電池）、制御手段（ＣＰＵ３）を具備している。また、電子錠本体１ａには、無線アクセスポイント５と通信する無線機、例えば無線ＬＡＮ装置４ａをも具備させる。
無線アクセスポイント５は、インターネットなどの通信ネットワーク６のノード（節）であり、電子錠本体１ａを通信ネットワーク６に接続するための無線通信装置もしくは無線通信設備である。無線アクセスポイント５は、全ての電子錠本体（１ａ〜１ｚ）と通信可能な位置に必要な数だけ設ける。なるべくなら、一つの集合住宅、一つの区域では、１台の無線アクセスポイント５の設置で済むように、その設置位置を検討、設計することがコストの点からは望ましい。
通信ネットワーク６は、電話網以外のネットワークであり、典型的にはインターネットもしくはＩＰ網である。
センタ７は、通信ネットワーク６と接続する構成である。つまり、図示しないが、センタ７は、そのための通信装置を具備している。センタ７と通信ネットワーク６との接続は、有線によるものでも無線によるものでも、どちらでもよい。
リモコン装置１１、電子錠本体（１ａ、１ｚ）、無線アクセスポイント５及びセンタ７を構成要素として含む電子錠システムは、前記ＩＤ情報及び前記解錠要求情報の正当性を解析するための情報を記憶するデータベース部８ａをも含む。データベース部８ａは、センタ７に設けても、電子錠本体１ａに設けてもよく、その両方に設けてもよい。
電子錠本体１ａの制御手段の中枢であるＣＰＵ３は、リモコン装置１１から受信する前記解錠要求情報を、データベース部８ａが記憶する情報と照合した結果に基づき、物品保管ケース９を解錠するか否かを判断する。該照合の方法は、例えば、データベース部８ａには、その電子錠本体１ａ固有の解錠許可コードが記憶されており、解錠要求情報にその解錠許可コードが含まれていたら、ＣＰＵ３は、物品保管ケース９の解錠を行なう、などである。
【００１６】
リモコン装置１１が送信する解錠要求情報は、電子錠本体１ａにその錠機構を解錠するよう要求する指令信号であり、所定のコードである。この所定のコードは、ＩＤ情報１２ａそのもの、もしくは該ＩＤ情報１２ａを含むコードであってもよい。電子錠本体１ａのデータベース部８ａは、必要なだけのリモコン装置のＩＤ情報１２を記憶している。このＩＤ情報１２は、図示されているリモコン装置１１の他に、電子錠本体１ａに解錠要求情報を送信して解錠操作を行なうことを許可されている（各）リモコン装置（図示せず）固有の（各）ＩＤ情報を含んでいる。もちろん、リモコン装置１１のＩＤ情報１２ａと、電子錠本体１ａのデータベース部８ａが記憶するＩＤ情報１２が全く同一であってもよい。
ＩＤ情報１２ａを受信した電子錠本体１ａのＣＰＵ３は、データベース部８ａが記憶しているＩＤ情報１２の中に、ＩＤ情報１２ａが入っているなら、両ＩＤ情報を照合するとともに、物品保管ケース９を解錠する。もしくは、リモコン装置１１の正当性を認めて、改めて解錠のための所定コードを送信するよう要求する。もちろん、その解錠のための所定のコードは、データベース部８ａに記憶されているものとする。
このように、解錠要求情報に各リモコン装置のＩＤ情報を含ませることによって、データベース部８ａにＩＤ情報を予め登録（記憶）させているリモコン装置のみが電子錠本体１ａの解錠操作を行なうことができるシステム構成とすることができる。
なお、（各）リモコン装置は、固有のＩＤ情報を含まず、解錠要求情報にＩＤ情報を含ませない構成も、もちろん可能である。この場合は、リモコン装置１１をはじめとするその他のリモコン装置は、解錠のための所定のコードのみを送信する。そして、電子錠本体１ａのデータベース部８ａには、該解錠のための所定のコードを予め記憶させておく。
【００１７】
リモコン装置１１から電子錠本体１ａへの情報伝送、もしくはリモコン装置１１と電子錠本体１ａとの相互の情報伝送は、接触通信によるものでも、無線通信のような非接触通信によるものでもどちらでもよい。なお、両者を接触通信させる場合、例えば、リモコン装置１１と電子錠本体１ａの双方に、そのための端子をそれぞれ設け、それらの端子を接続して、両者の通信を行なえばよい。
【００１８】
図２は、本発明に係わる物品保管ケースを有し持ち運び可能な電子錠本体を含む電子錠システムの実施の一形態を示すブロック図である。
電子錠本体は、一戸建て住宅のドアにも、集合住宅のドアにも取り付けることができる。例えば、図２のような２階建ての賃貸住宅１６にも電子錠本体（１ａ、１ｂ、１ｃ）を空き部屋の玄関のドアノブに取り付けて、不動産業者は、部屋の売り出しや貸し出しの営業をすることができる。
どのような営業活動を行なうのかというと、例えば、ドアノブ１８にぶら下げている（係留している）電子錠本体１ｂで説明するなら、不動産業者がその部屋を借りたいもしくは買いたい顧客を案内して、リモコン装置（図示せず）で電子錠本体１ｂを解錠して、その玄関のドア１７の鍵を取り出して、ドア１７を開け、顧客に部屋の中を見せる、などの営業活動である。
各電子錠本体（１ａ、１ｂ、１ｃ）は、指定されたリモコン装置での解錠操作によって、内蔵する物品保管ケース（図示せず）の解錠が可能である。各電子錠本体（１ａ、１ｂ、１ｃ）は、無線ＬＡＮ装置（図示せず）をそれぞれ内蔵しており、賃貸住宅１６の適当な箇所に少なくとも一台設ける無線ＬＡＮ装置４（無線アクセスポイント）に接続することができる。センタ７と各電子錠本体（１ａ、１ｂ、１ｃ）は、インターネット６ｂを介して通信が可能である。例えば、電子錠本体１ｃがリモコン装置から解錠要求情報を受信すると、その解錠要求情報をセンタ７へ転送することができる。センタ７のサーバ１３は、該解錠要求情報を受信し、データベース部８ｂを利用してコード照合を行ない、解錠を許可するか拒否するか判断し、その旨を電子錠本体１ｃへ送信する。電子錠本体１ｃは、センタ７から解錠許可の信号を受信し得る場合だけ、物品保管ケース９を解錠する。
なお、データベー部８ｂは、各電子錠本体（１ａ、１ｂ、１ｃ）にそれぞれ設けてもよく、センタ７と電子錠本体（１ａ、１ｂ、１ｃ）の両方に設けてもよい。電子錠本体の錠機構を解錠するか否かの判断は、電子錠本体の側だけで行ない、センタ７には、その旨（錠操作情報）を送信するだけのシステムでもよいことは、図１で説明した通りである。
【００１９】
リモコン装置が送信する解錠要求情報に該リモコン装置のＩＤ情報を含ませるなら、電子錠本体は、そのＩＤ情報をセンタに転送することによって、どのリモコン装置がどの電子錠本体を解錠しようとしたのか、センタ７で管理・把握することができる。
【００２０】
図３は、本発明に係わる物品保管ケースを有し持ち運び可能な電子錠本体を含む電子錠システムの別の実施の一形態を示すブロック図である。
電子錠本体１には、計時手段（クロック１９）を具備させ、センタ７に送信する錠操作に関する情報には、物品保管ケース９を解錠した時刻に関する情報を含ませるようにしてもよい。
なお、シャックル１０にも錠機構１５を設け、リモコン装置１１からシャックル１０を解錠し得るようなシステム構成にしてもよく、この点は、当業者の設計上の選択事項である。
また、電子錠本体１に搭載する電源は、燃料電池１４とすることも可能である。燃料電池は、乾電池などの電池と比べて容量が大きいので、電子錠本体１の電池を交換する期間を長くすることができる。
【００２１】
【発明の効果】
本発明に係る物品保管ケースを有し持ち運び可能な電子錠本体を含む電子錠システムは、以上説明してきたような構成であるので、以下に記載する効果を奏する。
電子錠本体からセンタへの情報伝送は、今までのようにリモコン装置を経由しない。無線アクセスポイント及び通信ネットワークを介して電子錠本体からセンタへの情報を伝送を行なう。
また、リモコン装置は、携帯電話機の外部通信端子に接続する必要が全くない。従って、携帯電話機毎に、それとの通信が適合するように、リモコン装置を設計する必要がなく、電子錠本体からリモコン装置へは、全く情報を送信する必要がないか、ごく簡単な情報、例えば応答情報を送信するだけで済む。
また、通信料が比較的高額である携帯電話網を介してのセンタへの情報送信をすることも全くがない。
係留機構を有し、物品保管ケースを具備する電子錠本体を、システムの構成要素として持つ電子錠システムにおいて、携帯電話機及び電話網を使用せずに、安価な通信コストでセンタへ情報を伝送することが可能となった。
【図面の簡単な説明】
【図１】図１は、本発明に係わる物品保管ケースを有し持ち運び可能な電子錠本体を含む電子錠システムのブロック図である。
【図２】図２は、本発明に係わる物品保管ケースを有し持ち運び可能な電子錠本体を含む電子錠システムの実施の一形態を示すブロック図である。
【図３】図３は、本発明に係わる物品保管ケースを有し持ち運び可能な電子錠本体を含む電子錠システムの別の実施の一形態を示すブロック図である。
【符号の説明】
１、１ａ、１ｂ、１ｃ、１ｚ　電子錠本体
２　受信部
２ａ　送受信部
３　ＣＰＵ
４、４ａ　無線ＬＡＮ装置
５　無線アクセスポイント
６　通信ネットワーク
６ｂ　インターネット
７　センタ
８ａ、８ｂ　データベース部
９　物品保管ケース
１０　シャックル
１１　リモコン装置
１２、１２ａ　ＩＤ情報
１３　サーバ
１４　燃料電池
１５　錠機構
１６　賃宅住宅
１７　ドア
１８　ドアノブ
１９　クロック
【図１】
2004092352.tif 000003
【図２】
2004092352.tif 000004
【図３】
2004092352.tif 000005